(57)【要約】【課題】高い接続信頼性を有するコネクタを提供すること。【解決手段】コネクタが、相互に対向する第１端部（２１１）および第２端部（２１２）を有する端子支持面（２１）と端子支持面（２１）の第１端部（２１１）に設けられかつ端子支持面（２１）に交差する端子接続面（２２）と端子接続面（２２）に設けられた端子挿入開口部（２２）とを有するベース（２０）と、端子支持面（２１）の第２端部（２１２）に接続された基部（３１）と端子支持面（２１）に対向するように配置されている弾性部（３２）とを有する弾性挟持部（３０）と、端子挿入開口部（２２）から端子支持面（２１）に沿って挿入された平型端子（６）の端子挿入方向に対する挿入角度を規制する挿入角度規制部（４０）と、を備える。【選択図】図３
2018156734.tif 000002
【特許請求の範囲】
【請求項１】
相互に対向する第１端部および第２端部を有する端子支持面と、前記端子支持面の前記第１端部に設けられかつ前記端子支持面に交差する端子接続面と、前記端子接続面に設けられかつ前記第１端部から前記第２端部に向かう端子挿入方向に平型端子を挿入可能な端子挿入開口部とを有するベースと、
前記端子支持面の前記第２端部に接続された基部と、前記端子支持面に対向するように配置されていると共に前記端子支持面から離れる方向に弾性変形して前記端子支持面と共に前記平型端子を挟持可能な弾性部とを有する弾性挟持部と、
前記端子挿入開口部から前記端子支持面に沿って挿入された前記平型端子の前記端子挿入方向に対する挿入角度を規制する挿入角度規制部と、
を備える、コネクタ。
【請求項２】
前記挿入角度規制部が、
前記端子支持面の前記第１端部と前記第２端部との間に設けられ、かつ、前記端子挿入開口部から挿入された前記平型端子に対して前記端子挿入方向に交差する端子幅方向の少なくとも一方に配置されて、前記端子挿入開口部から挿入された前記平型端子の一側を前記端子挿入方向に案内して、前記挿入角度を規制する中間ガイド突起部を有する、請求項１に記載のコネクタ。
【請求項３】
前記挿入角度規制部が、
前記端子支持面の前記第１端部に設けられ、かつ、前記端子挿入開口部から挿入される前記平型端子に対して前記端子挿入方向に交差する端子幅方向の少なくとも一方に配置されて、前記端子挿入開口部から挿入された前記平型端子の一側を前記端子挿入方向に案内して、前記挿入角度を規制する始端ガイド突起部を有する、請求項１に記載のコネクタ。
【請求項４】
前記挿入角度規制部が、
前記端子支持面の前記第１端部と前記第２端部との間に設けられ、かつ、前記端子挿入開口部から挿入された前記平型端子に対して前記端子挿入方向に交差する端子幅方向の少なくとも一方に配置されて、前記端子挿入開口部から挿入された前記平型端子の一側を前記端子挿入方向に案内して、前記挿入角度を規制する中間ガイド突起部と、
前記端子支持面の前記第１端部に設けられ、かつ、前記端子挿入開口部から挿入される前記平型端子に対して前記端子挿入方向に交差する端子幅方向の少なくとも一方に配置されて、前記端子挿入開口部から挿入された前記平型端子の一側を前記端子挿入方向に案内して、前記挿入角度を規制する始端ガイド突起部と、
を有する、請求項１に記載のコネクタ。
【請求項５】
前記中間ガイド突起部と前記始端ガイド突起部とが、前記端子挿入開口部から前記端子支持面に沿って挿入された前記平型端子に対して対角に配置されている、請求項４に記載のコネクタ。
【請求項６】
前記中間ガイド突起部が、前記端子挿入開口部の近傍に配置されている、請求項２、４および５のいずれか１つに記載のコネクタ。
【請求項７】
前記中間ガイド突起部が、前記端子挿入開口部から挿入された前記平型端子に対して前記端子幅方向の両側にそれぞれ配置されている、請求項２および４から６のいずれか１つに記載のコネクタ。
【請求項８】
前記中間ガイド突起部が、
前記端子支持面および前記端子接続面に交差しかつ前記端子挿入開口部から挿入された前記平型端子に接触可能なガイド面と、
前記ガイド面から前記端子幅方向における前記端子挿入開口部から挿入された前記平型端子から離れる方向に延びて前記ガイド面を支持する支持部と、
を有する、請求項２および４から７のいずれか１つに記載のコネクタ。
【請求項９】
前記始端ガイド突起部が、
前記端子支持面から前記端子支持面に交差する方向に延びかつ前記端子挿入開口部から挿入された前記平型端子に対して前記端子幅方向の両側のそれぞれに並列に配置された第１突起および第２突起と、
前記端子幅方向に沿って延びかつ前記第１突起および前記第２突起の前記端子支持面から遠い方の端部に接続されている接続部と、
を有し、
前記第１突起、前記第２突起、前記接続部、および、前記端子支持面とで、前記端子挿入開口部が形成されている、請求項３から５のいずれか１つに記載のコネクタ。
【請求項１０】
前記始端ガイド突起部が前記ベースと一体に構成されている、請求項３から５および９のいずれか１つに記載のコネクタ。
【発明の詳細な説明】
【技術分野】
【０００１】
本発明は、平型端子を挿入可能なコネクタに関する。
【背景技術】
【０００２】
特許文献１には、板状の平型端子を挿入可能なコネクタと、このコネクタに一体成形されかつ線材を圧着保持する圧着保持部とで構成された接続端子が開示されている。前記接続端子では、コネクタの内部に挿入された平型端子が、その板厚方向でコネクタにより挟持されて、平型端子とコネクタとが接続される。
【先行技術文献】
【特許文献】
【０００３】
【特許文献１】特開平１１−１１１３６７号公報
【発明の概要】
【発明が解決しようとする課題】
【０００４】
しかし、前記接続端子では、平型端子は、その板厚方向でのみコネクタにより挟持される。このため、例えば、平型端子をコネクタの内部に挿入している最中に線材が引っ張られて、コネクタに平型端子の板幅方向の力が加えられると、コネクタが平型端子を正常な状態で挟持できず、平型端子と接続部との間の接続信頼性が低くなる場合がある。
【０００５】
そこで、本発明は、高い接続信頼性を有するコネクタを提供することを課題とする。
【課題を解決するための手段】
【０００６】
本発明の一態様のコネクタは、
相互に対向する第１端部および第２端部を有する端子支持面と、前記端子支持面の前記第１端部に設けられかつ前記端子支持面に交差する端子接続面と、前記端子接続面に設けられかつ前記第１端部から前記第２端部に向かう端子挿入方向に平型端子を挿入可能な端子挿入開口部とを有するベースと、
前記端子支持面の前記第２端部に接続された基部と、前記端子支持面に対向するように配置されていると共に前記端子支持面から離れる方向に弾性変形して前記端子支持面と共に前記平型端子を挟持可能な弾性部と、を有する弾性挟持部と、
前記端子挿入開口部から前記端子支持面に沿って挿入された前記平型端子の前記端子挿入方向に対する挿入角度を規制する挿入角度規制部と、
を備える。
【発明の効果】
【０００７】
前記態様のコネクタによれば、端子挿入開口部から端子支持面に沿って挿入された平型端子の端子挿入方向に対する挿入角度を規制する挿入角度規制部により、平型端子を端子支持面と弾性挟持部とで確実に挟持でき、高い接続信頼性を発揮できる。
【図面の簡単な説明】
【０００８】
【図１】本発明の一実施形態のコネクタを備えた接続端子の斜視図。
【図２】図１の接続端子の分解斜視図。
【図３】本発明の一実施形態のコネクタの斜視図。
【図４】図３のIV矢視図。
【図５】図３のＶ矢視図。
【図６】図３のコネクタの中間ガイド突起部の第１の変形例を示す斜視図。
【図７】図３のコネクタの中間ガイド突起部の第２の変形例を示す斜視図。
【図８】図３のコネクタの中間ガイド突起部の第３の変形例を示す斜視図。
【図９】図３のコネクタの始端ガイド突起部の第１の変形例を示す斜視図。
【図１０】図３のコネクタの始端ガイド突起部の第２の変形例を示す斜視図。
【図１１】図３のコネクタの挿入角度規制部の変形例を示す斜視図。
【発明を実施するための形態】
【０００９】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１０】
本発明の一実施形態のコネクタ１０は、例えば、図１および図２に示すように、ハウジング２に収容された状態で使用され、ハウジング２と共に接続端子１を構成する。この接続端子１では、一例として、ケーブル４が圧着された圧着保持部３が、コネクタ１０と一体に形成されている。また、コネクタ１０は、後述する端子挿入開口部２３がハウジング２の開口部５に対向した状態でハウジング２に収容されて、ハウジング２の開口部５からハウジング２の内部に挿入された平型端子６とコネクタ１０とが接続可能になっている。
【００１１】
コネクタ１０は、図３に示すように、ベース２０と、弾性挟持部３０と、挿入角度規制部４０とを備える。このコネクタ１０は、例えば、導電性を有する１枚の金属板から形成されており、ベース２０、弾性挟持部３０、および、挿入角度規制部４０が一体に構成されている。
【００１２】
ベース２０は、板厚方向（図３の上下方向）に沿った平面視において四角形状で（図５参照）、図３に示すように、端子支持面２１と、端子挿入開口部２３が設けられた端子接続面２２とを有している。
【００１３】
端子支持面２１は、ベース２０の板厚方向の一方の面（図３の上面）を構成し、相互に対向する第１端部２１１および第２端部２１２を有している。
【００１４】
端子接続面２２は、端子支持面２１の第１端部２１１に設けられかつ端子接続面２２に交差する方向に延びている。この端子接続面２２には、端子挿入開口部２３が設けられており、この端子挿入開口部２３を介して、端子支持面２１の第１端部２１１から第２端部２１２に向かう端子挿入方向（すなわち、平型端子６の端子接続面２２への挿入方向であるIV矢視方向）に、平型端子６を挿入可能になっている。端子挿入開口部２３から端子挿入方向に挿入された平型端子６は、端子挿入方向沿いに形成されている端子支持面２１により、平型端子６の図３における下側の面が端子挿入方向に案内される。
【００１５】
弾性挟持部３０は、図３に示すように、基部３１と弾性部３２とを有している。
【００１６】
基部３１は、端子支持面２１の第２端部２１２に接続されており、端子支持面２１から端子支持面２１に交差する方向に直線状に延びている。
【００１７】
弾性部３２は、端子支持面２１に対向し、かつ、端子支持面２１に直交する平面視において端子支持面の一部を覆うように配置され（図５参照）、端子支持面２１から離れる方向（図３の上側）に弾性変形可能に構成されている。この弾性部３２は、図４に示すように、端子支持面２１との間に、平型端子６の板厚Ｄ２（図１に示す）よりも小さい隙間Ｄ１を有している。この隙間Ｄ１に平型端子６が挿入されると、弾性部３２は、端子支持面２１から離れる方向に弾性変形して、平型端子６を端子支持面２１と共に平型端子６を挟持するようになっている。なお、基部３１と弾性部３２とは、湾曲部３３により接続されている。
【００１８】
挿入角度規制部４０は、図３に示すように、端子支持面２１の第１端部２１１と第２端部２１２との間に設けられた一対の中間ガイド突起部４１と、端子支持面２１の第１端部２１１に設けられた始端ガイド突起部４２とを有している。一対の中間ガイド突起部４１は、始端ガイド突起部４２の近傍（すなわち、第１端部２１１の近傍）に配置されている。この挿入角度規制部４０は、端子挿入開口部２３から端子支持面２１に沿って挿入された平型端子６を端子挿入方向に案内して、平型端子６の端子挿入方向に対する挿入角度を規制する。
【００１９】
例えば、図３において、平型端子６の下側の面は、端子支持面２１で案内されることにより、下方向の移動が規制される。また、平型端子６の右側面は、この平型端子６の右側面に対向する中間ガイド突起４１および始端ガイド突起部４２の第１突起４２１で案内されることにより、右方向の移動が規制され、平型端子６の左側面は、この平型端子６の左側面に対向する中間ガイド突起４１および始端ガイド突起部４２の第２突起４２２で案内されることにより、左方向の移動が規制される。
【００２０】
一対の中間ガイド突起部４１は、図３に示すように、端子挿入開口部２３から挿入された平型端子６に対して端子幅方向（すなわち、端子挿入方向に交差する方向）の両側にそれぞれ配置されている。各中間ガイド突起部４１は、ガイド面４１１と、このガイド面４１１を支持する支持部４１２とを有している。
【００２１】
ガイド面４１１は、図３に示すように、略半円形状を有し、端子支持面２１および端子接続面２２に交差し、かつ、端子挿入開口部２３から挿入された平型端子６の一側に対向して平型端子６に接触可能に配置されている。このガイド面４１１は、平型端子６の板厚Ｄ２に近い端子支持面２１からの高さを有しており、端子挿入開口部２３から端子支持面２１に沿って挿入された平型端子６を端子挿入方向に確実に案内できるように構成されている。
【００２２】
支持部４１２は、図３に示すように、外面が湾曲しており、図５に示すように、端子支持面２１に直交する方向（図５の紙面貫通方向）に沿った平面視において三角形状を有している。この支持部４１２は、ガイド面４１１から端子幅方向（図５の左右方向）における端子挿入開口部２３から挿入された平型端子６から離れる方向に延びてガイド面４１１を支持している。
【００２３】
このように、支持部４１２をいわゆるドーム形状に形成することで、各中間ガイド突起部４１の強度を高めることができる。このため、例えば、コネクタ１０に平型端子６の板幅方向の力が加えられたとしても、一対の中間ガイド突起部４１の変形を抑制できるので、ベース２０と弾性挟持部３０とで挟持された状態の平型端子６がコネクタ１０から抜けてしまう不具合（いわゆる嵌合抜け）の発生を抑制できる。
【００２４】
始端ガイド突起部４２は、図３に示すように、端子支持面２１の第１端部２１１に設けられた第１突起４２１および第２突起４２２と、第１突起４２１および第２突起４２２に接続された接続部４２３とを有している。この始端ガイド突起部４２は、端子挿入開口部２３から挿入される平型端子６の先端を端子挿入方向に案内して、平型端子６の端子挿入方向に対する挿入角度を規制する。
【００２５】
第１突起４２１および第２突起４２２は、図４に示すように、端子支持面２１から端子支持面２１に交差する方向（図４の上向き）に延び、かつ、端子挿入開口部２３から挿入された平型端子６に対して端子幅方向の両側のそれぞれに並列に配置されている。
【００２６】
接続部４２３は、端子幅方向（図４の左右方向）に沿って延び、かつ、第１突起４２１および第２突起４２２の端子支持面２１から遠い方の端部（図４の上端部）に接続されている。
【００２７】
第１突起４２１、第２突起４２２、接続部４２３、および、端子支持面２１とで、端子挿入方向に平型端子６を挿入可能な端子挿入開口部２３が、端子接続面２２に形成されている。なお、この実施形態では、端子接続面２２は、第１突起４２１、第２突起４２２、接続部４２３の端子挿入方向における外面である。
【００２８】
次に、平型端子６が、端子挿入方向に延びる直線Ｌ１に対して挿入角度θ（図５に示す）を成す直線Ｌ２に沿って、端子挿入開口部２３からコネクタ１０の内部に挿入して、平型端子６とコネクタ１０とを接続するときのコネクタ１０の動作について説明する。
【００２９】
平型端子６を直線Ｌ２に沿って端子接続面２２の端子挿入口２３に向かって接近させていくと、平型端子６の端子幅方向の第１側面６１（図４に示す）および第２側面６２（図４に示す）のうちの第１側面６１の先端が、第１突起４２１に接触する。これにより、平型端子６が、直線Ｌ１方向（すなわち、端子挿入方向）に案内される。
【００３０】
端子挿入口２３から挿入された平型端子６をさらにコネクタ１０の内部に向かって移動させると、平型端子６の第１側面６１の先端が、端子支持面２１に対して直交する方向に沿って見たときに直線Ｌ１に対して第１突起４２１と同じ側に位置している中間ガイド突起部４１のガイド面４１１と接触する。これにより、平型端子６が、直線Ｌ１方向（すなわち、端子挿入方向）に案内される。
【００３１】
すなわち、直線Ｌ１に対して挿入角度θを成す直線Ｌ２に沿って挿入された平型端子６は、始端ガイド突起部４２の第１突起４２１および中間ガイド突起部４１のガイド面４１１によって、コネクタ１０の内部に挿入している最中に直線Ｌ１に沿ってコネクタ１０の内部に挿入される。
【００３２】
なお、平型端子６の挿入し易さを確保するため、端子挿入開口部２３の開口縁と平型端子６との間にはある程度の隙間が設けられている。この隙間に起因するガタツキが、平型端子６の端子挿入開口部２３への挿入後に中間ガイド突起４１で規制される。
【００３３】
さらに、平型端子６をコネクタ１０の内部に向かって移動させていくと、平型端子６の先端が端子支持面２１と弾性挟持部３０の弾性部３２との間の隙間Ｄ１に挿入され、弾性部３２を端子支持面２１から離れる方向に弾性変形させる。この弾性部３２の弾性力により、平型端子６が、端子支持面２１と弾性挟持部３０とにより挟持されて、コネクタ１０に接続される。
【００３４】
平型端子６とコネクタ１０とが接触した状態で、平型端子６をさらにコネクタ１０の内部に向かって移動させていくと、平型端子６の先端が弾性挟持部３０の基部３１と接触して、コネクタ１０の内部への移動が終了する。このとき、平型端子６は、始端ガイド突起部４２の第１突起４２１および中間ガイド突起部４１のガイド面４１１によって、平型端子６の端子幅方向への移動が規制されている。すなわち、コネクタ１０の内部に挿入された平型端子６が、その板幅方向において、中間ガイド突起部４１および始端ガイド突起部４２で支持されるので、例えば、コネクタ１０に平型端子６の板幅方向の力が加えられたとしても、その加えられた力が中間ガイド突起部４１および始端ガイド突起部４２に分散される。このため、中間ガイド突起部４１および始端ガイド突起部４２の変形を抑制できて、ベース２０と弾性挟持部３０とで挟持された状態の平型端子６がコネクタ１０から抜けてしまう不具合（いわゆる嵌合抜け）の発生を抑制できる。
【００３５】
このように、前記コネクタ１０によれば、端子挿入開口部２３から端子支持面２１に沿って挿入された平型端子６の端子挿入方向に対する挿入角度θを規制する挿入角度規制部４０を備えている。すなわち、平型端子６の端子挿入開口部２３への挿入開始時には、始端ガイド突起部４２により平型端子６の挿入角度θが規制され、平型端子６の端子挿入開口部２３への挿入後には、中間ガイド突起部４１により平型端子６の挿入角度θが規制される。このため、仮に、平型端子６をコネクタ１０の内部に挿入している最中にコネクタ１０に平型端子６の板幅方向の力が加えられたとしても、平型端子６とコネクタ１０が端子挿入方向に対して斜めに接続されるのを防止して、平型端子６を端子支持面２１と弾性挟持部３０とで確実に挟持できる。その結果、高い接続信頼性を発揮できる。
【００３６】
さらに、平型端子６のコネクタ１０の内部への挿入後においても、平型端子６が、始端ガイド突起部４２および中間ガイド突起部４１によって、平型端子６の端子幅方向への移動が規制される。このため、例えば、コネクタ１０に接続されているケーブル４が引っ張られてコネクタ１０に平型端子６の板幅方向の力が加えられたとしても、始端ガイド突起部４２および中間ガイド突起部４１によって、平型端子６の板幅方向への移動が規制され、平型端子６とコネクタ１０との接続が強制的に解除されるのを防止できる。その結果、高い接続信頼性を発揮できる。
【００３７】
また、中間ガイド突起部４１が、端子接続面２２の近傍に配置されているので、端子挿入開口部２３からコネクタ１０の内部に挿入された平型端子６をより確実に端子挿入方向に案内できる。
【００３８】
また、中間ガイド突起部４１が、端子挿入開口部２３から挿入された平型端子６の端子幅方向の両側にそれぞれ配置されて、端子挿入開口部２３から挿入された平型端子６の端子幅方向の両側を案内するので、コネクタ１０に、平型端子６の板幅方向におけるいずれの力が加えられたとしても、平型端子６がコネクタと端子挿入方向に対して斜めに接続されるのを防止できる。
【００３９】
また、中間ガイド突起部４１が、ガイド面４１１と、ガイド面４１１を支持する支持部４１２とを有している。これにより、中間ガイド突起部４１の強度を高めることができるので、端子挿入開口部２３からコネクタ１０の内部に挿入された平型端子６をより確実に端子挿入方向に案内できる。
【００４０】
また、始端ガイド突起部４２が、第１突起４２１、第２突起４２２、および、接続部４２３を有している。これにより、コネクタ１０に、平型端子６の板幅方向におけるいずれの力が加えられたとしても、平型端子６がコネクタ１０とが端子挿入方向に対して斜めに接続されるのを防止できる。
【００４１】
また、始端ガイド突起部４２が、ベース２０と一体に構成されている。これにより、始端ガイド突起部４２の強度を高めることができ、端子挿入開口部２３からコネクタ１０の内部に挿入された平型端子６をより確実に端子挿入方向に案内できる。
【００４２】
なお、前記コネクタ１０では、図２に示すように、ベース２０の端子幅方向には、圧着保持部３のみが一体に形成されている。このため、端子幅方向における展開長を抑えて、生産性の向上を図ることができる。
【００４３】
中間ガイド突起部は、半円形状のガイド面４１１と外面が湾曲した支持部４１２とを有する中間ガイド突起部４１に限らない。例えば、図６に示すように、略台形状のガイド面４１１と、端子支持面２１に直交する方向に沿った平面視において矩形状の支持部４１２とを有する中間ガイド突起部４１であってもよい。また、図７に示すように、矩形のガイド面４１１と、端子支持面２１に直交する方向に沿った平面視において矩形状の支持部４１２とを有する中間ガイド突起部４１であってもよい。
【００４４】
また、中間ガイド突起部４１は、端子支持面２１における端子挿入開口部２３から挿入された平型端子６に対して端子幅方向の両側にそれぞれ配置されている場合に限らず、例えば、図８に示すように、端子支持面２１の端子幅方向の一方のみに配置してもよい。
【００４５】
始端ガイド突起部は、第１突起４２１、第２突起４２２、および、接続部４２３を有する始端ガイド突起部４２に限らない。例えば、図９に示すように、第１突起４２１のみを有する始端ガイド突起部４２であってもよいし、図１０に示すように、相互に接続されていない第１突起４２１および第２突起４２２を有する始端ガイド突起部４２であってもよい。この場合、端子接続面２２は、第１突起４２１（および第２突起４２２）の端子挿入方向における外面と同一面上の仮想面である。
【００４６】
挿入角度規制部４０は、中間ガイド突起部４１および始端ガイド突起部４２の少なくともいずれかを有していればよく、中間ガイド突起部４１および始端ガイド突起部４２を有する場合に限らない。すなわち、挿入角度規制部は、コネクタの設計等に応じて、中間ガイド突起部のみを有してもよいし、始端ガイド突起部のみを有してもよい。いずれの場合であっても、平型端子を端子支持面と弾性挟持部とで確実に挟持でき、高い接続信頼性を発揮できる。
【００４７】
なお、挿入角度規制部４０が、端子支持面２１の端子幅方向の一方のみに配置された中間ガイド突起部４１と、第１突起４２１のみを有する始端ガイド突起部４２とを有する場合、図１１に示すように、中間ガイド突起部４１と始端ガイド突起部４２の第１突起４２１とは、端子挿入開口部２３から端子支持面２１に沿って挿入された平型端子６に対して対角に配置するのが好ましい。このように配置することで、中間ガイド突起部４１と第１突起４２１とが、端子挿入開口部２３から挿入された平型端子６に対して同じ側に配置された場合と比較して、平型端子６がコネクタ１０と端子挿入方向に対して斜めに接続されるのを確実に防止できる。
【００４８】
以上、図面を参照して本発明における種々の実施形態を詳細に説明したが、最後に、本発明の種々の態様について説明する。
【００４９】
本発明の第１態様のコネクタは、
相互に対向する第１端部および第２端部を有する端子支持面と、前記端子支持面の前記第１端部に設けられかつ前記端子支持面に交差する端子接続面と、前記端子接続面に設けられかつ前記第１端部から前記第２端部に向かう端子挿入方向に平型端子を挿入可能な端子挿入開口部とを有するベースと、
前記端子支持面の前記第２端部に接続された基部と、前記端子支持面に対向するように配置されていると共に前記端子支持面から離れる方向に弾性変形して前記端子支持面と共に前記平型端子を挟持可能な弾性部と、を有する弾性挟持部と、
前記端子挿入開口部から前記端子支持面に沿って挿入された前記平型端子の前記端子挿入方向に対する挿入角度を規制する挿入角度規制部と、
を備える。
【００５０】
第１態様のコネクタによれば、平型端子の端子挿入開口部への挿入開始時には、始端ガイド突起部により平型端子６の挿入角度が規制され、平型端子の端子挿入開口部への挿入後には、中間ガイド突起部により平型端子の挿入角度θが規制される。このため、仮に、平型端子をコネクタの内部に挿入している最中にコネクタに平型端子の板幅方向の力が加えられたとしても、平型端子がコネクタと端子挿入方向に対して斜めに接続されるのを防止して、平型端子を端子支持面と弾性挟持部とで確実に挟持できる。その結果、高い接続信頼性を発揮できる。
【００５１】
本発明の第２態様のコネクタは、
前記挿入角度規制部が、
前記端子支持面の前記第１端部と前記第２端部との間に設けられ、かつ、前記端子挿入開口部から挿入された前記平型端子に対して前記端子挿入方向に交差する端子幅方向の少なくとも一方に配置されて、前記端子挿入開口部から挿入された前記平型端子の一側を前記端子挿入方向に案内して、前記挿入角度を規制する中間ガイド突起部を有する。
【００５２】
第２態様のコネクタによれば、中間ガイド突起部により、平型端子を端子支持面と弾性挟持部とで確実に挟持でき、高い接続信頼性を発揮できる。
【００５３】
本発明の第３態様のコネクタは、
前記挿入角度規制部が、
前記端子支持面の前記第１端部に設けられ、かつ、前記端子挿入開口部から挿入される前記平型端子に対して前記端子挿入方向に交差する端子幅方向の少なくとも一方に配置されて、前記端子挿入開口部から挿入された前記平型端子の一側を前記端子挿入方向に案内して、前記挿入角度を規制する始端ガイド突起部を有する。
【００５４】
第３態様のコネクタによれば、始端ガイド突起部により、平型端子を端子支持面と弾性挟持部とで確実に挟持でき、高い接続信頼性を発揮できる。
【００５５】
本発明の第４態様のコネクタは、
前記挿入角度規制部が、
前記端子支持面の前記第１端部と前記第２端部との間に設けられ、かつ、前記端子挿入開口部から挿入された前記平型端子に対して前記端子挿入方向に交差する端子幅方向の少なくとも一方に配置されて、前記端子挿入開口部から挿入された前記平型端子の一側を前記端子挿入方向に案内して、前記挿入角度を規制する中間ガイド突起部と、
前記端子支持面の前記第１端部に設けられ、かつ、前記端子挿入開口部から挿入される前記平型端子に対して前記端子挿入方向に交差する端子幅方向の少なくとも一方に配置されて、前記端子挿入開口部から挿入された前記平型端子の一側を前記端子挿入方向に案内して、前記挿入角度を規制する始端ガイド突起部と、
を有する。
【００５６】
第４態様のコネクタによれば、中間ガイド突起部および始端ガイド突起部により、平型端子を端子支持面と弾性挟持部とでより確実に挟持でき、高い接続信頼性を発揮できる。
【００５７】
本発明の第５態様のコネクタは、
前記中間ガイド突起部と前記始端ガイド突起部とが、前記端子挿入開口部から前記端子支持面に沿って挿入された前記平型端子に対して対角に配置されている。
【００５８】
第５態様のコネクタによれば、中間ガイド突起部と始端ガイド突起部とが、端子挿入開口部から挿入された平型端子に対して同じ側に配置されたコネクタと比較して、平型端子がコネクタと端子挿入方向に対して斜めに接続されるのを確実に防止できる。
【００５９】
本発明の第６態様のコネクタは、
前記中間ガイド突起部が、前記端子挿入開口部の近傍に配置されている。
【００６０】
第６態様のコネクタによれば、端子挿入開口部からコネクタの内部に挿入された平型端子をより確実に端子挿入方向に案内できる。
【００６１】
本発明の第７態様のコネクタは、
前記中間ガイド突起部が、前記端子挿入開口部から挿入された前記平型端子に対して前記端子幅方向の両側にそれぞれ配置されている。
【００６２】
第７態様のコネクタによれば、コネクタに、平型端子の板幅方向におけるいずれの力が加えられたとしても、平型端子がコネクタと端子挿入方向に対して斜めに接続されるのを防止できる。
【００６３】
本発明の第８態様のコネクタは、
前記中間ガイド突起部が、
前記端子支持面および前記端子接続面に交差しかつ前記端子挿入開口部から挿入された前記平型端子に接触可能なガイド面と、
前記ガイド面から前記端子幅方向における前記端子挿入開口部から挿入された前記平型端子から離れる方向に延びて前記ガイド面を支持する支持部と、
を有する。
【００６４】
第８態様のコネクタによれば、中間ガイド突起部の強度を高めることができるので、端子挿入開口部からコネクタの内部に挿入された平型端子をより確実に端子挿入方向に案内できる。
【００６５】
本発明の第９態様のコネクタは、
前記始端ガイド突起部が、
前記端子支持面から前記端子支持面に交差する方向に延びかつ前記端子挿入開口部から挿入された前記平型端子に対して前記端子幅方向の両側のそれぞれに並列に配置された第１突起および第２突起と、
前記端子幅方向に沿って延びかつ前記第１突起および前記第２突起の前記端子支持面から遠い方の端部に接続されている接続部と、
を有し、
前記第１突起、前記第２突起、前記接続部、および、前記端子支持面とで、前記端子挿入開口部が形成されている。
【００６６】
第９態様のコネクタによれば、コネクタに、平型端子の板幅方向におけるいずれの力が加えられたとしても、平型端子がコネクタ１０と端子挿入方向に対して斜めに接続されるのを防止できる。
【００６７】
本発明の第１０態様のコネクタは、
前記始端ガイド突起部が前記ベースと一体に構成されている。
【００６８】
第１０態様のコネクタによれば、始端ガイド突起部の強度を高めることができ、端子挿入開口部からコネクタの内部に挿入された平型端子をより確実に端子挿入方向に案内できる。
【００６９】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００７０】
本発明のコネクタは、例えば、空調機に用いることができる。
【符号の説明】
【００７１】
１  接続端子
２  ハウジング
３  圧着保持部
４  ケーブル
５  開口部
６  平型端子
１０  コネクタ
２０  ベース
２１  端子支持面
２１１  第１端部
２１２  第２端部
２２  端子接続面
２３  端子挿入開口部
３０  弾性挟持部
３１  基部
３２  弾性部
３３  湾曲部
４０  挿入角度規制部
４１  中間ガイド突起部
４１１  ガイド面
４１２  支持部
４２  始端ガイド突起部
４２１  第１突起
４２２  第２突起
４２３  接続部
Ｄ１  隙間
Ｄ２  板厚
Ｌ１、Ｌ２  直線
θ  挿入角度
【図１】
2018156734.tif 000003
【図２】
2018156734.tif 000004
【図３】
2018156734.tif 000005
【図４】
2018156734.tif 000006
【図５】
2018156734.tif 000007
【図６】
2018156734.tif 000008
【図７】
2018156734.tif 000009
【図８】
2018156734.tif 000010
【図９】
2018156734.tif 000011
【図１０】
2018156734.tif 000012
【図１１】
2018156734.tif 000013